(57)【特許請求の範囲】
【請求項１】
円筒部と該円筒部内を仕切る隔壁とからなり該隔壁の中心位置に主軸受取付穴が設けられた筒状ケーシングと、該筒状ケーシングの軸方向一側に位置して設けられステータと該ステータ内で回転するロータとからなる電動モータと、該電動モータのステータの一側を閉塞するように設けられ副軸受取付穴が設けられたカップ状ケーシングと、前記電動モータのロータ内を軸方向に挿通した状態で該ロータと固定的に設けられ軸方向一側が該カップ状ケーシングに延在し軸方向他側が前記筒状ケーシング内に延びてクランクとなった駆動軸と、前記筒状ケーシングの主軸受取付穴に設けられ該筒状ケーシングに対して該駆動軸を回転自在に軸支する主軸受と、前記カップ状ケーシングの副軸受取付穴に設けられ該カップ状ケーシングに対して前記駆動軸を回転自在に軸支する副軸受と、前記筒状ケーシング内に位置して前記駆動軸のクランクに旋回可能に設けられた旋回スクロールと、該旋回スクロールと対面して前記筒状ケーシングの円筒部を閉塞するように設けられた固定スクロールと、該固定スクロールに対する前記旋回スクロールの自転運動を防止するため該旋回スクロールと筒状ケーシングの隔壁との間に設けられた自転防止機構とを備えてなるスクロール式流体機械において、
前記カップ状ケーシングの副軸受取付穴に副軸受を取付ける副軸受取付工程と、
前記カップ状ケーシングに対して電動モータのステータを取付けるステータ取付工程と、
前記電動モータのロータに設けられた駆動軸の一側を副軸受に取付け、該電動モータのロータを前記ステータに取付ける駆動軸取付工程と、
前記駆動軸他側に主軸受を取付ける主軸受取付工程と、
該主軸受に筒状ケーシングの主軸受取付穴を取付け、該筒状ケーシングの円筒部一側を前記電動モータのステータに取付ける筒状ケーシング取付工程と、
前記筒状ケーシングに自転防止機構を取付ける自転防止機構取付工程と、
前記駆動軸のクランクに前記旋回スクロールを取付け、該旋回スクロールに自転防止機構を取付ける旋回スクロール取付工程と、
前記筒状ケーシングの円筒部他側に固定スクロールを取付ける固定スクロール取付工程とからなるスクロール式流体機械の製造方法。
【発明の詳細な説明】
【０００１】
【発明の属する技術分野】
本発明は、例えば空気圧縮機、冷媒圧縮機または真空ポンプ等に用いて好適なスクロール式流体機械の製造方法に関する。
【０００２】
【従来の技術】
一般に、図１０に示すように、筒状のケーシング１と、該ケーシング１の一側に設けられ、ステータ２，該ステータ２内で回転するロータ３および該ロータ３に固定的に設けられた駆動軸４からなる電動モータ５と、該電動モータ５の外側を包囲するモータホルダ６と、前記ケーシング１の他側に設けられた固定スクロール７と、該固定スクロール７と対向して前記ケーシング１内に設けられ該固定スクロール７との間に複数の圧縮室を画成する旋回スクロール８とを備え、前記電動モータ２の駆動軸４が旋回スクロール８に連結され、該電動モータ２を駆動することにより旋回スクロール８を固定スクロール７に対して旋回運動させるスクロール式流体機械は、例えば特公平６−１０７４号等により知られている。
【０００３】
【発明が解決しようとする課題】
ところで、上述した従来技術によるスクロール式流体機械では、組立性がよくないため、該スクロール式流体機械の組立作業を効率良く行うことが難しく、特に組立工程の自動化が困難であるという問題がある。
【０００４】
例えば、図１０において、駆動軸４のうち最も直径寸法が大きい最大径部４Ａと、ケーシング１の中心に取付けられた主軸受７と、電動モータ５を構成するロータ３の配置関係に着目すると、ケーシング１に駆動軸４を取付けると共に該駆動軸４にロータ３を取付けるには下記に示す手順で作業をしなければならない。
【０００５】
まず、ケーシング１の下側から主軸受９を挿着する。次に、該ケーシング１の上側から駆動軸４を挿着する。次に、ケーシング１の下側から駆動軸４外周側にロータ３を挿着する。
【０００６】
このように、主軸受９とロータ３はケーシング１の下側から、駆動軸４は該ケーシング１の上側から取付けなければならず、取付け方向が各部品毎に異なる。また、駆動軸４をケーシング１に取付けた後でなければ、該駆動軸４にロータ３を取付けることができない。この結果、従来技術によるスクロール式流体機械は組立性がよくない。
【０００７】
本発明は上述した従来技術の問題に鑑みなされたもので、組立性をよくし、組立作業を効率よく行うことができるようにしたスクロール式流体機械の製造方法を提供することを目的としている。
【０００８】
【課題を解決するための手段】
上述した課題を解決するために、請求項１に記載の発明は、円筒部と該円筒部内を仕切る隔壁とからなり該隔壁の中心位置に主軸受取付穴が設けられた筒状ケーシングと、該筒状ケーシングの軸方向一側に位置して設けられ、ステータと該ステータ内で回転するロータとからなる電動モータと、該電動モータのステータ一側を閉塞するように設けられ副軸受取付穴が設けられたカップ状ケーシングと、前記電動モータのロータ内を軸方向に挿通した状態で該ロータと固定的に設けられ、軸方向一側が該カップ状ケーシングに延在し、軸方向他側が前記筒状ケーシング内に延びてクランクとなった駆動軸と、前記筒状ケーシングの主軸受取付穴に設けられ、該筒状ケーシングに対して該駆動軸を回転自在に軸支する主軸受と、前記カップ状ケーシングの副軸受取付穴に設けられ、該カップ状ケーシングに対して前記駆動軸を回転自在に軸支する副軸受と、前記筒状ケーシング内に位置して前記駆動軸のクランクに旋回可能に設けられた旋回スクロールと、該旋回スクロールと対面して前記筒状ケーシングの円筒部を閉塞するように設けられた固定スクロールと、該固定スクロールに対する前記旋回スクロールの自転運動を防止するため、該旋回スクロールと筒状ケーシングの隔壁との間に設けられた自転防止機構とを備えてなるスクロール式流体機械において、前記カップ状ケーシングの副軸受取付穴に副軸受を取付ける副軸受取付工程と、前記カップ状ケーシングに対して電動モータのステータを取付けるステータ取付工程と、前記電動モータのロータに設けられた駆動軸の一側を副軸受に取付け、該電動モータのロータを前記ステータに取付ける駆動軸取付工程と、前記駆動軸他側に主軸受を取付ける主軸受取付工程と、該主軸受に筒状ケーシングの主軸受取付穴を取付け、該筒状ケーシングの円筒部一側を前記電動モータのステータに取付ける筒状ケーシング取付工程と、前記筒状ケーシングに自転防止機構を取付ける自転防止機構取付工程と、前記駆動軸のクランクに前記旋回スクロールを取付け、該旋回スクロールに自転防止機構を取付ける旋回スクロール取付工程と、前記筒状ケーシングの円筒部他側に固定スクロールを取付ける固定スクロール取付工程とからなる構成としたことにある。
【０００９】
このような構成である本発明により、カップ状ケーシングに電動モータのステータ、副軸受、駆動軸等を順次取付けるときに、該カップ状ケーシングの他側方向から該カップ状ケーシングに向けてそれぞれ取付けることができる。
【００１０】
そして、前記駆動軸に主軸受を取付けるときには、該駆動軸の他側方向から該駆動軸に向けて取付けることができ、前記電動モータに筒状ケーシングを取付けるときには、該電動モータの他側方向から該電動モータに向けて取付けることができる。
【００１１】
さらに、前記筒状ケーシングに自転防止機構、旋回スクロール、固定スクロールを取付けるときには、該筒状ケーシングの他側方向から該筒状ケーシングに向けてそれぞれ取付けることができる。
【００１２】
このように、当該スクロール式流体機械を構成する総ての部品を他側から一側に向けて一方向に取付けることができる。
【００１３】
【発明の実施の形態】
以下、本発明の実施の形態を添付図面に従って詳述する。
【００１４】
ここで、図１ないし図９は本発明の実施例によるスクロール式流体機械をスクロール式空気圧縮機に適用した場合を例に挙げて示している。
【００１５】
図において、１１は筒状に形成された筒状ケーシングを示し、該筒状ケーシング１１は、円筒部１２と該円筒部１２内を仕切る円形板状の隔壁１３とから大略構成されている。
【００１６】
そして、前記円筒部１２は隔壁１３を境に軸方向一側がモータ側筒部１２Ａとなり、該モータ側筒部１２Ａの一端側には後述する電動モータ１４のステータ１５を取付けるためのステータ取付部１２Ｂが形成されている。一方、前記円筒部１２は隔壁１３を境に軸方向他側がスクロール側筒部１２Ｃとなり、該スクロール側筒部１２Ｃの他端側には後述する固定スクロール２１を取付けるためのフランジ部１２Ｄが形成されている。さらに、該スクロール側筒部１２Ｃの周壁には複数の通気孔１２Ｅ，１２Ｅ，…が形成されている。
【００１７】
また、前記隔壁１３の中心には挿通穴１３Ａが形成され、隔壁１３の内周側には、前記挿通穴１３Ａの外縁から軸方向一側に突出した筒状のボス部１３Ｂが形成され、該ボス部１３Ｂの内周側は後述する主軸受１９を取付けるための主軸受取付穴１３Ｃとなっている。
【００１８】
ここで、該主軸受取付穴１３Ｃは、後述の電動モータ１４側（軸方向一側）から主軸受１９を挿入するため該電動モータ１４側に開口した挿入口となっており、主軸受１９を筒状ケーシング１１の一側から該主軸受取付穴１３Ｃ内に挿着することができる。
【００１９】
１４は筒状ケーシング１１の軸方向一側に位置して設けられた電動モータを示し、該電動モータ１４は、固定子としてのステータ１５と、該ステータ１５内で回転する回転子としてのロータ１６を備えている。そして、該電動モータ１４のステータ１５は、その他側が筒状ケーシング１１のステータ取付部１２Ｂに挿着されている。
【００２０】
１７は電動モータ１４のステータ１５一側を閉塞するように設けられたカップ状ケーシングを示し、該カップ状ケーシング１７の他端側にはステータ取付部１７Ａが形成され、該ステータ取付部１７Ａにステータ１５が挿着されている。
【００２１】
また、該カップ状ケーシング１７の中心には挿通穴１７Ｂが形成され、該カップ状ケーシング１７の内周側には前記挿通穴１７Ｂの外縁から軸方向他側に突出した筒状のボス部１７Ｃが形成され、該ボス部１７Ｃの内周側は後述する副軸受２０を取付けるための副軸受取付穴１７Ｄとなっている。
【００２２】
ここで、該副軸受取付穴１７Ｃは、電動モータ１４（軸方向他側）から副軸受２０を挿入するため該電動モータ１４側に開口した挿入口となっており、副軸受２０をカップ状ケーシング１７の他側から該副軸受取付穴１７Ｄ内に挿着することができる。
【００２３】
１８は前記電動モータ１４の駆動軸を示し、該駆動軸１８は軸方向一側がカップ状ケーシング１７に延在し、軸方向他側が筒状ケーシング内に延在している。そして、該駆動軸１８は、図２に示すように、軸方向一端側から他端側にかけて、副軸受挿着部１８Ａ、ロータ挿着部１８Ｂ、最大径部１８Ｃ、主軸受挿着部１８Ｄおよびクランク１８Ｅとなっている。
【００２４】
そして、該駆動軸１８の副軸受挿着部１８Ａの直径寸法Ａ、ロータ挿着部１８Ｂの直径寸法Ｂおよび最大径部１８Ｃの直径寸法Ｃの大きさ関係は、Ａ＜Ｂ＜Ｃである。また、最大径部１８Ｃの直径寸法Ｃ、主軸受挿着部１８Ｄの直径寸法Ｄおよびクランク１８Ｅの直径寸法Ｅの大きさ関係は、Ｃ≧Ｄ＞Ｅである。即ち、該駆動軸１８は、電動モータ１４のロータ１６から軸方向他側に突出した部分が最も大径な最大径部１８Ｃとして形成され、該最大径部１８Ｃから軸方向一側と他側に向けて順次小径となるように形成されている。
【００２５】
１９は筒状ケーシング１１の主軸受取付穴１３Ｃ内に取付けられた主軸受を示し、該主軸受１９は駆動軸１８の主軸受挿着部１８Ｄを前記筒状ケーシング１１に対して回転自在に軸支している。２０はカップ状ケーシング１７の副軸受取付穴１７Ｄ内に取付けられた副軸受を示し、該副軸受２０は駆動軸１８の副軸受挿着部１８Ａを前記カップ状ケーシング１７に対して回転自在に軸支している。
【００２６】
２１は筒状ケーシング１１のスクロール側筒部１２Ｃ内に旋回可能に設けられた旋回スクロールを示し、該旋回スクロール２１は、円板状に形成された鏡板２１Ａと、該鏡板２１Ａの表面側から軸方向に立設され中心側が巻始め端となり外周側が巻終り端となった渦巻状のラップ部２１Ｂと、該鏡板２１Ａの背面側に設けられた円板状の背面プレート２１Ｃと、該背面プレート２１Ｃと鏡板２１Ａとの間に並列に多数立設された放熱板２１Ｄ，２１Ｄ，…とから大略構成されている。
【００２７】
そして、前記背面プレート２１Ｃの中心位置には軸方向一側に突出した筒状のボス部２１Ｅが形成され、該ボス部２１Ｅ内には、駆動軸１８のクランク１８Ｅが旋回軸受２２を介して回転自在に支持されている。
【００２８】
２３は旋回スクロール２１と対面して筒状ケーシング１１のスクロール側筒部１２Ｃを閉塞するように設けられた固定スクロールを示し、該固定スクロール２３は、略円板状に形成された鏡板２３Ａと、該鏡板２３Ａの表面側から軸方向に立設され、中心側が巻始め端となり外周側が巻終り端となった渦巻状のラップ部２３Ｂと、前記鏡板２３Ａの外縁側から突出し、外周側が前記筒状ケーシング１１のフランジ部１２Ｄにボルト２４等を介して固着された取付部２３Ｃと、鏡板２３Ａの背面側に並列に多数立設された放熱板２３Ｄとから構成されている。
【００２９】
ここで、旋回スクロール２１のラップ部２１Ｂは、固定スクロール２３のラップ部２３Ｂに対し所定角度（例えば１８０度）だけずらして重なり合うように配設され、両者のラップ部２１Ｂ，２３Ｃ間には複数の圧縮室２５，２５，…が形成される。そして、当該スクロール式空気圧縮機の運転時には、固定スクロール２３の外周側に設けた吸込口（図示せず）から外周側に位置する圧縮室２５内に空気を吸込みつつ、この空気を旋回スクロール２１が旋回運動する間に各圧縮室２５内で順次圧縮し、最後に中心側の圧縮室２５から固定スクロール２３の中心に設けた吐出口２６を介して外部に圧縮空気を吐出する。
【００３０】
２７は旋回スクロール２１の自転運動を防止する自転防止機構としてのオルダム継手を示し、該オルダム継手２７は、旋回スクロール２１の背面プレート２１Ｃと筒状ケーシング１１の隔壁１３との間に設けられた矩形状のスライダ２８と、該スライダ２８を一方向（例えばＹ軸方向）にガイドするように前記隔壁１３に互いに平行に固着して設けられた一対の継手ガイド２９，２９と、前記スライダ２８を前記一方向と直交する他方向（例えばＸ軸方向）にガイドするように旋回スクロール２１の背面プレート２１Ｃに互いに平行に固着して設けられた一対の継手ガイド３０，３０とから大略構成されている。また、前記スライダ２８には旋回スクロール２１からのスラスト荷重を受承するボール３１，３１が設けられている。
【００３１】
３２は駆動軸１８に設けられたバランスウェイトを示し、該バランスウェイト３２は、旋回スクロール２１の旋回運動に対して駆動軸１８の回転バランスを取るものである。
【００３２】
本実施例によるスクロール式空気圧縮機は上述のような構成を有するもので、電動モータ１４により駆動軸１８を回転させ、旋回スクロール２１を旋回させると、固定スクロール２３のラップ部２３Ｂと旋回スクロール２１のラップ部２１Ｂとの間に画成された各圧縮室２５が連続的に縮小する。これにより、固定スクロール２３の吸込口から吸込んだ外気を該各圧縮室２５で順次圧縮しつつ、この圧縮空気を固定スクロール２３の吐出口２６から吐出する。なお、該吐出口２６には空気タンク等（図示せず）が接続され、該吐出口２６から吐出した圧縮空気は、前記空気タンク内に貯留される。
【００３３】
ここで、本実施例によるスクロール式空気圧縮機の組立について図３ないし図９を参照しつつ説明する。
【００３４】
まず、副軸受取付工程では、図３に示すように、カップ状ケーシング１７の副軸受取付穴１７Ｄに副軸受２０を取付ける。このとき、該副軸受取付穴１７Ｃはその挿入口が他側に開口しているため、副軸受２０をカップ状ケーシング１７の他側から該副軸受取付穴１７Ｄ内に挿着することができる。
【００３５】
次に、ステータ取付工程では、図３に示すように、カップ状ケーシング１７のステータ取付部１７Ａに電動モータ１４のステータ１５を取付ける。このとき、該ステータ取付部１７Ａも前記副軸受取付穴１７Ｃと同様にその挿入口が他側に開口しているため、ステータ１５をカップ状ケーシング１７の他側から該ステータ取付部１７Ａに挿着することができる。
【００３６】
次に、ロータ取付工程では、図４に示すように、駆動軸１８のロータ挿着部１８Ｂに電動モータ１４のロータ１６を挿着し、該ロータ１６を駆動軸１８のロータ挿着部１８Ｂに固定させる。
【００３７】
次に、駆動軸取付工程では、図５に示すように、駆動軸１８の副軸受挿着部１８Ａをカップ状ケーシング１７の副軸受取付穴１７Ｄに取付けられた副軸受２０に挿入しつつ、ロータ１６をステータ１５内に取付ける。
【００３８】
次に、主軸受取付工程では、図６に示すように、駆動軸１８の主軸受挿着部１８Ｄに、バランスウェイト３２、主軸受１９等を順次に取付ける。このとき、駆動軸１８を構成する最大径部１８Ｃの直径寸法Ｃ、主軸受挿着部１８Ｄの直径寸法Ｄおよびクランク１８Ｅの直径寸法Ｅの大きさ関係がＣ≧Ｄ＞Ｅであるため、駆動軸１８の他側からバランスウェイト３２、主軸受１９等を取付けることができる。
【００３９】
次に、筒状ケーシング取付工程では、図７に示すように、電動モータ１４、カップ状ケーシング１７、駆動軸１８、主軸受１９等が取付けられた組立体に筒状ケーシング１１を取付ける。即ち、筒状ケーシング１１の主軸受取付部１３Ｃを駆動軸１８に取付けられた主軸受１９の外周側に取付けると共に、筒状ケーシング１１のステータ取付部１２Ｂをステータ１５に取付ける。
【００４０】
ここで、筒状ケーシング１１の主軸受取付穴１３Ｃは、その挿入口が一側に開口していると共に、該筒状ケーシング１１のステータ取付部１２Ｂも主軸受取付穴１３Ｃと同様に一側に開口している。このため、前記組立体の他側から筒状ケーシング１１を前記組立体に向けて移動させることにより、主軸受１９の外周側に該筒状ケーシング１１の主軸受取付穴１３Ｃを取付けると共に、筒状ケーシング１１のステータ取付部１２Ｂをステータ１５に取付けることができる。
【００４１】
次に、自転防止機構取付工程では、図８に示すように、筒状ケーシング１１のスクロール側筒部１２Ｃ内にオルダム継手２７のスライダ２８を取付ける。このとき、隔壁１３上に設けれた各継手ガイド２９間にスライダ２８が装着されるようにする。そして、該スライダ２８にボール３１，３１，…を取付ける。
【００４２】
次に、旋回スクロール取付工程では、図８に示すように、筒状ケーシング１１のスクロール側筒部１２Ｃ内に旋回スクロール２１を取付ける。このとき、旋回スクロール２１のボス部２１Ｅ内に予め装着された旋回軸受２２内に駆動軸１８のクランク１８Ｅが挿入されるようにすると共に、該旋回スクロール２１の背面プレート２１Ｃに設けられた各継手ガイド３０間にスライダ２８が装着されるようにする。
【００４３】
次に、固定スクロール取付工程では、図９に示すように、筒状ケーシング１１の他側に固定スクロール２３を取付ける。このとき、筒状ケーシング１１のフランジ部１２Ｄと固定スクロール２３の取付部２３Ｃを衝合させた後、筒状ケーシング１１に固定スクロール２３をボルト２４等で固定する。以上のように、本実施例によるスクロール式空気圧縮機は組立られる。
【００４４】
かくして、本実施例によれば、当該スクロール式空気圧縮機を構成する筒状ケーシング１１、電動モータ１４、駆動軸１８、旋回スクロール２１、固定スクロール２３等の各部品を総て一方向に取付けることができる。
【００４５】
即ち、カップ状ケーシング１７において副軸受取付穴１７Ｃの挿入口とステータ取付部１７Ａの挿入口とを他側に開口させ、筒状ケーシング１１において主軸受取付穴１３Ｃの挿入口とステータ取付部１２Ｂの挿入口とを一側に開口させ、駆動軸１８のうち電動モータ１４のロータ１６から軸方向他側に突出した部分を最も大径な最大径部１８Ｃとして形成し、該最大径部１８Ｃから軸方向一側と他側に向けて順次小径となるように形成する構成としたから、当該スクロール式空気圧縮機の一側に配置されるカップ状ケーシング１７から、他側に配置される固定スクロール２３までの各部品を一方向に取付けることが可能となる。
【００４６】
従って、スクロール式空気圧縮機の組立作業の簡単化を図ることができると共に、各組立工程の自動化を容易に実現することが可能となり製造コストを削減できる。また、当該スクロール式流体機械の分解が容易になりメンテナンスをし易くすることができる。
【００４７】
なお、前記実施例では、スクロール式流体機械としてスクロール式空気圧縮機を例に挙げて説明したが、本発明はこれに限らず、例えば真空ポンプ，冷媒圧縮機等にも広く適用することができる。また、本発明は給油式、無給油式に拘らず、いずれのスクロール式流体機械にも適用できる。
【００４８】
【発明の効果】
以上詳述した通り、請求項１に記載の発明によれば、カップ状ケーシングの副軸受取付穴に副軸受を取付ける副軸受取付工程と、前記カップ状ケーシングに対して電動モータのステータを取付けるステータ取付工程と、前記電動モータのロータに設けられた駆動軸の一側を副軸受に取付け、該電動モータのロータを前記ステータに取付ける駆動軸取付工程と、前記駆動軸他側に主軸受を取付ける主軸受取付工程と、該主軸受に筒状ケーシングの主軸受取付穴を取付け、該筒状ケーシングの円筒部一側を前記電動モータのステータに取付ける筒状ケーシング取付工程と、前記筒状ケーシングに自転防止機構を取付ける自転防止機構取付工程と、前記駆動軸のクランクに旋回スクロールを取付け、該旋回スクロールに自転防止機構を取付ける旋回スクロール取付工程と、前記筒状ケーシングの円筒部他側に固定スクロールを取付ける固定スクロール取付工程とからなる構成としたから、組立作業を効率良く行うことができると共に、組立作業の自動化を容易に実現することが可能となる。
【図面の簡単な説明】
【図１】本発明の実施例によるスクロール式空気圧縮機を示す縦断面図である。
【図２】図１中の駆動軸を示す外観図である。
【図３】副軸受取付工程およびステータ取付工程図を示す縦断面図である。
【図４】駆動軸にロータを挿着する直前の状態を示す縦断面図である。
【図５】駆動軸取付工程を示す縦断面図である。
【図６】主軸受取付工程を示す縦断面図である。
【図７】筒状ケーシング取付工程を示す縦断面図である。
【図８】自転防止機構取付工程および旋回スクロール取付工程を示す縦断面図である。
【図９】固定スクロール取付工程を示す縦断面図である。
【図１０】従来技術によるスクロール式流体機械を示す縦断面図である。
【符号の説明】
１１  筒状ケーシング
１２  円筒部
１３  隔壁
１３Ｃ  主軸受取付穴
１４  電動モータ
１５  ステータ
１６  ロータ
１７  カップ状ケーシング
１７Ｄ  副軸受取付穴
１８  駆動軸
１８Ｃ  最大径部
１８Ｅ  クランク
１９  主軸受
２０  副軸受
２１  旋回スクロール
２３  固定スクロール
２７  オルダム継手（自転防止機構）
【図１】
0003616451.tif 000002
【図２】
0003616451.tif 000003
【図３】
0003616451.tif 000004
【図４】
0003616451.tif 000005
【図５】
0003616451.tif 000006
【図６】
0003616451.tif 000007
【図７】
0003616451.tif 000008
【図８】
0003616451.tif 000009
【図９】
0003616451.tif 000010
【図１０】
0003616451.tif 000011